【手続補正書】
【提出日】平成16年7月16日(2004.7.16)
【手続補正１】
【補正対象書類名】特許請求の範囲
【補正対象項目名】全文
【補正方法】変更
【補正の内容】
【特許請求の範囲】
【請求項１】
１つ以上の容器を含むキットであって、該容器にはオリゴヌクレオチドが付着した２種類以上のナノ粒子を含む組成物が入り、第１の種類のナノ粒子上のオリゴヌクレオチドは核酸の第１の部分の配列に対して相補的な配列を有し、第２の種類のナノ粒子上のオリゴヌクレオチドは前記核酸の第２の部分の配列に対して相補的な配列を有するキット。
【請求項２】
前記容器内の組成物は前記核酸の第３の部分に対して相補的な配列を有する充填オリゴヌクレオチドを更に含み、前記第３の部分は前記第１の部分と第２の部分との間に位置する請求項１に記載のキット。
【請求項３】
前記ナノ粒子は金から形成される請求項１に記載のキット。
【請求項４】
更に固体表面を含む請求項１に記載のキット。
【請求項５】
２つ以上の容器を含むキットであって、  第１の容器には核酸の第１の部分の配列に対して相補的な配列を有するオリゴヌクレオチドが付着したナノ粒子が入り、  第２の容器には前記核酸の第２の部分の配列に対して相補的な配列を有するオリゴヌクレオチドが付着したナノ粒子が入ったキット。
【請求項６】
前記核酸の第３の部分に対して相補的な配列を有するオリゴヌクレオチドが入った第３の容器を含み、該第３の部分は前記第１の部分と第２の部分との間に位置する請求項５に記載のキット。
【請求項７】
前記ナノ粒子は金から形成される請求項５に記載のキット。
【請求項８】
更に固体表面を含む請求項５に記載のキット。
【請求項９】
２つ以上の容器を含むキットであって、  第１の容器には連結オリゴヌクレオチドの第１の部分の配列に対して相補的な配列を有するオリゴヌクレオチドが付着したナノ粒子が入り、  第２の容器には２つ以上の部分を含む配列を有する連結オリゴヌクレオチドが入
り、その内の第１の部分は前記ナノ粒子上のオリゴヌクレオチドの配列に対して相補的であり、第２の部分は核酸の一部分に対して相補的であるキット。
【請求項１０】
更なる容器を含み、該容器のそれぞれには更なる連結オリゴヌクレオチドが入り、更なる連結オリゴヌクレオチドのそれぞれは２つ以上の部分を含む配列を有し、この内の第１の部分は前記ナノ粒子上のオリゴヌクレオチドの配列に対して相補的であり、第２の部分は前記核酸の別の一部分の配列に対して相補的である請求項９に記載のキット。
【請求項１１】
前記ナノ粒子は金から形成される請求項９に記載のキット。
【請求項１２】
更に固体表面を含む請求項９に記載のキット。
【請求項１３】
キットであって、オリゴヌクレオチドが付着した１種類のナノ粒子と１種類以上の連結オリゴヌクレオチドとが入った容器を含み、該１種類以上の連結オリゴヌクレオチドの各種類は２つ以上の部分を含む配列を有し、その内の第１の部分は前記ナノ粒子上のオリゴヌクレオチドの配列に対して相補的であることにより前記連結オリゴヌクレオチドは前記ナノ粒子上のオリゴヌクレオチドに対してハイブリダイズし、第２の部分は核酸の１以上の部分の配列に対して相補的であるキット。
【請求項１４】
少なくとも１つの容器を含むキットであって、該容器にはオリグヌクレオチドが付着した金属ナノ粒子もしくは半導体ナノ粒子が入っており、該オリグヌクレオチドは、核酸のある部分に相補的な配列と、該オリゴヌクレオチドの端部に付着しナノ粒子には付着していない蛍光分子とを有するキット。
【請求項１５】
キットであって、  核酸の第１の部分の配列に対して相補的な配列を有するオリゴヌクレオチドが付着したナノ粒子を付着させた基板と、  前記核酸の第２の部分の配列に対して相補的な配列を有するオリゴヌクレオチドが付着したナノ粒子が入った第１の容器とを含むキット。
【請求項１６】
２つ以上の部分を含む選択配列を有し、第１の部分は前記第１の容器中のナノ粒子上のオリゴヌクレオチドの配列の少なくとも一部分に対して相補的である連結オリゴヌクレオチドが入った第２の容器と、  前記連結オリゴヌクレオチドの第２の部分の配列に対して相補的な配列を有するオリゴヌクレオチドが付着したナノ粒子が入った第３の容器とを更に含む請求項１５に記載のキット。
【請求項１７】
３つ以上の容器を含むキットであって、  ナノ粒子が入った第１の容器と、  核酸の第１の部分の配列に対して相補的な配列を有する第１のオリゴヌクレオチドが入った第２の容器と、  前記核酸の第２の部分の配列に対して相補的な配列を有する第２のオリゴヌクレオチドが入った第３の容器とを含むキット。
【請求項１８】
前記核酸の第３の部分の配列に対して相補的な配列を有する第３のオリゴヌクレオチドが入った第４の容器を更に含み、該第３の部分は前記第１の部分と第２の部分との間に位置する請求項１７に記載のキット。
【請求項１９】
更に基板を含む請求項１７に記載のキット。
【請求項２０】
２つ以上の部分を含む選択配列を有し、第１の部分は前記第２のオリゴヌクレオチドの配列の少なくとも一部分に対して相補的である連結オリゴヌクレオチドが入った第４の容器と、  前記連結オリゴヌクレオチドの第２の部分の配列に対して相補的な配列を有するオリゴヌクレオチドが入った第５の容器とを更に含む請求項１９に記載のキット。
【請求項２１】
前記オリゴヌクレオチドおよびナノ粒子のうちの少なくとも一方が、オリゴヌクレオチドがナノ粒子に付着するための官能基を有する請求項１７に記載のキット。
【請求項２２】
前記基板およびナノ粒子のうちの少なくとも一方が、ナノ粒子が基板に対して付着するための官能基を有する請求項１９に記載のキット。
【請求項２３】
前記基板にナノ粒子が付着する請求項１９に記載のキット。
【請求項２４】
前記ナノ粒子は金から形成される請求項１７に記載のキット。
【請求項２５】
キットであって、  核酸の第１の部分の配列に対して相補的な配列を有するオリゴヌクレオチドが付着した基板と、  オリゴヌクレオチドが付着したナノ粒子が入った第１の容器であって、該オリゴヌクレオチドの内のあるものは前記核酸の第２の部分の配列に対して相補的な配列を有する第１の容器と、  前記第１の容器中の前記ナノ粒子に付着したオリゴヌクレオチド配列の少なくとも一部分に対して相補的な配列を有するオリゴヌクレオチドを付着したナノ粒子が入った第２の容器とを含むキット。
【請求項２６】
キットであって、  基板と、  ナノ粒子が入った第１の容器と、  核酸の第１の部分の配列に対して相補的な配列を有する第１のオリゴヌクレオチドが入った第２の容器と、  前記核酸の第２の部分の配列に対して相補的な配列を有する第２のオリゴヌクレオチドが入った第３の容器と、  前記第２のオリゴヌクレオチドの配列の少なくとも一部分に対して相補的な配列を有する第３のオリゴヌクレオチドが入った第４の容器とを含むキット。
【請求項２７】
前記オリゴヌクレオチド、ナノ粒子、基板、またはこれらすべてが、前記オリゴヌクレオチドが前記ナノ粒子に付着するための官能基または前記オリゴヌクレオチドが前記基板に付着するための官能基を有する請求項２６に記載のキット。
【請求項２８】
前記ナノ粒子は金から形成される請求項２６に記載のキット。
【請求項２９】
キットであって、  核酸の第１の部分の配列に対して相補的な配列を有するオリゴヌクレオチドが付着した基板と、  前記核酸の第２の部分の配列に対して相補的な配列を有するオリゴヌクレオチドを付着したリポソームが入った第１の容器と、  第２の容器であって、ナノ粒子に付着していない側の端部において疎水性官能基を有する第１の種類のオリゴヌクレオチドを少なくとも有する前記ナノ粒子が入れられた第２の容器とを含むキット。
【請求項３０】
前記第２の容器中の前記ナノ粒子には第２の種類のナノ粒子上のオリゴヌクレオチドの配列に相補的な配列を有する第２の種類のオリゴヌクレオチドが付着し、  前記第１の種類のナノ粒子上の前記第２の種類のオリゴヌクレオチドの配列の少なくとも一部分に対して相補的な配列を有するオリゴヌクレオチドが付着した第２の種類のナノ粒子が入った第３の容器を更に含む請求項２９に記載のキット。
【請求項３１】
２つ以上の容器を含むキットであって、  第１の容器には核酸の第１の部分の配列に対して相補的な配列を有するオリゴヌクレオチドが付着した粒子が入り、該オリゴヌクレオチドは該粒子に付着していない側の端部においてエネルギー供与体によって標識され、  第２の容器には核酸の第２の部分の配列に対して相補的な配列を有するオリゴヌクレオチドが付着した粒子が入り、該オリゴヌクレオチドは該粒子に付着していない側の端部においてエネルギー受容体によって標識されるキット。
【請求項３２】
前記エネルギー供与体及び受容体は蛍光分子である請求項３１に記載のキット。
【請求項３３】
１つ以上の容器を含むキットであって、該容器には、核酸の第１の部分の配列に対して相補的な配列を有するオリゴヌクレオチドであって粒子に付着していない側の端部がエネルギー供与体によって標識されている前記オリゴヌクレオチドを付着した第１の種類の粒子と、核酸の第２の部分の配列に対して相補的な配列を有するオリゴヌクレオチドであって粒子に対して付着していない側の端部がエネルギー受容体によって標識されている前記オリゴヌクレオチドが付着した第２の種類の粒子とが入ったキット。
【請求項３４】
前記エネルギー供与体及び受容体は蛍光分子である請求項３３に記載のキット。
【請求項３５】
ナノ粒子が付着した基板。
【請求項３６】
前記ナノ粒子に核酸の第１の部分の配列に対して相補的な配列を有するオリゴヌクレオチドが付着した請求項３５に記載の基板。
【請求項３７】
ナノファブリケーションのための方法であって、  選択配列を有する１種類以上の連結オリゴヌクレオチドを提供し、該連結オリゴヌクレオチドのそれぞれの種類の該配列は２つ以上の部分を有することと、  オリゴヌクレオチドが付着した１種類以上のナノ粒子を提供し、該ナノ粒子のそれぞれの種類に付着したオリゴヌクレオチドは連結オリゴヌクレオチドの一部分の配列に対して相補的な配列を有することと、  前記ナノ粒子上のオリゴヌクレオチドが前記連結オリゴヌクレオチドと有効にハイブリダイズする条件下において前記連結オリゴヌクレオチドとナノ粒子とを接触させることにより、所望のナノ粒子またはナノ構造が形成され、該ナノ粒子はオリゴヌクレオチド結合体により連結されることとを含む方法。
【請求項３８】
前記ナノ粒子は金から形成される請求項３７に記載の方法。
【請求項３９】
オリゴヌクレオチドが付着した２種類以上のナノ粒子を提供し、その内第１の種類のナノ粒子上のオリゴヌクレオチドは連結オリゴヌクレオチドの配列の第１の部分に対して相補的な配列を有し、第２の種類のナノ粒子上のオリゴヌクレオチドは前記連結オリゴヌクレオチドの配列の第２の部分に対して相補的な配列を有する請求項３７に記載の方法。
【請求項４０】
前記ナノ粒子は金から形成される請求項３９に記載の方法。
【請求項４１】
ナノファブリケーションのための方法であって、  オリゴヌクレオチドが付着した２種類以上のナノ粒子を提供することと、  その内第１の種類のナノ粒子上のオリゴヌクレオチドは第２のナノ粒子上のオリゴヌクレオチドの配列に対して相補的な配列を有することと、  第２の種類のナノ粒子上のオリゴヌクレオチドは前記第１の種類のナノ粒子上のオリゴヌクレオチドの配列に対して相補的な配列を有することと、  前記第１と第２の種類のナノ粒子を該ナノ粒子上のオリゴヌクレオチドが互いに有効にハイブリダイズする条件下において接触させることにより所望のナノ粒子またはナノ構造が形成されることとを含む方法。
【請求項４２】
前記ナノ粒子は金から形成される請求項４１に記載の方法。
【請求項４３】
オリゴヌクレオチドが付着したナノ粒子であってオリゴヌクレオチド結合体によって互いに連結された前記ナノ粒子を含むナノ材料またはナノ構造。
【請求項４４】
前記オリゴヌクレオチド連結体の内の少なくとも一部は３本鎖である請求項４３に記載
のナノ材料またはナノ構造。
【請求項４５】
前記ナノ粒子は金から形成される請求項４３に記載のナノ材料またはナノ構造。
【請求項４６】
オリゴヌクレオチドが付着した２種類以上のナノ粒子を含む組成物であって、その内第１の種類のナノ粒子上のオリゴヌクレオチドは核酸の第１の部分の配列または連結オリゴヌクレオチドの第１の部分の配列に対して相補的な配列を有し、第２の種類のナノ粒子上のオリゴヌクレオチドは前記核酸の第２の部分の配列または連結オリゴヌクレオチドの第２の部分の配列に対して相補的な配列を有する組成物。
【請求項４７】
前記ナノ粒子は金から形成される請求項４６に記載の組成物。
【請求項４８】
容器のアセンブリであって、  オリゴヌクレオチドが付着したナノ粒子が入った第１の容器と、  オリゴヌクレオチドが付着したナノ粒子が入った第２の容器と、  前記第１の容器中のナノ粒子に付着するオリゴヌクレオチドであって、前記第２の容器中のナノ粒子に付着したオリゴヌクレオチドの配列に対して相補的な配列を有する前記オリゴヌクレオチドと、  前記第２の容器中のナノ粒子に付着するオリゴヌクレオチドであって、前記第２の容器中のナノ粒子に付着したオリゴヌクレオチドの配列に対して相補的な配列を有する前記オリゴヌクレオチドとを含むアセンブリ。
【請求項４９】
前記ナノ粒子は金から形成される請求項４８に記載のアセンブリ。
【請求項５０】
複数の異なるオリゴヌクレオチドが付着したナノ粒子。